(57)【要約】      （修正有）【課題】道具や液状の接着剤を使うことなしに紙や平板状の軽量素材から模型飛行機を製作し、さらに飛行姿勢調節具を取り付けることにより容易にさまざまな気流中で飛行させることのできる模型飛行機を提供する。【解決手段】紙や平板状の軽量素材に模型飛行機を平面に展開した形状を記し型抜き加工を実施し、組み立てに際して曲げる部分には折り曲げが容易になるように折り曲げ加工を施す。組み立てにあたっては、模型飛行機に使う部分を切り抜き、所定の場所で折り曲げ、胴体中央材７を折り曲げた中間に挿入し製作する。胴体４と翼部５、６分の角度は角度保持具１２によって決められる。さらに飛行姿勢調節具を取り付けることにより、安定した飛行を可能とする。【選択図】図７
0003177845.tif 000002
【実用新案登録請求の範囲】
【請求項１】
紙や平板状の軽量素材に模型飛行機を平面に展開した形状を記し、型抜き加工を実施するとともに材料を貼り合わせる部分には粘着剤を貼り付け、さらに組み立てに際して曲げる部分には折り曲げが容易になるように折り曲げ加工を施し、組み立てにあたっては、模型飛行機に使う部分を切り抜き、所定の場所で折り曲げ、粘着剤の表面保護材を取り去り、胴体中央材を折り曲げた中間に挿入し粘着部を貼り合わせることによって製作される模型飛行機。
【請求項２】
胴体と翼を一定の角度で保持する角度保持具を胴体中央部に挿入することにより、胴体と翼部分の角度を決めることを特徴とした模型飛行機。
【請求項３】
翼後縁部付近に飛行姿勢調節具を貼り付け、さまざまな気流中で安定した飛行ができるようにすることを特徴とした模型飛行機。
【請求項４】
組み立てた模型飛行機の重心部分に重心位置確認ピンを差し込んで、重心位置を容易に確認できることを特徴とする模型飛行機。
【考案の詳細な説明】
【技術分野】
【０００１】
本考案は、主に紙または薄い平板状の素材を用いて製作する模型飛行機に関するものである。
【背景技術】
【０００２】
紙や軽量な平板状の素材を用いて製作する手投げやゴム糸の弾性力を利用して飛行させる模型飛行機は従来さまざまなものが考案され市販もされている。
【０００３】
しかしながら、これらの模型飛行機は製作にあたって液状の接着剤や紙止め金具、また、はさみ、ナイフなどを使うことが多く、製作が難しい問題があった。さらに飛行機の胴体と翼の取り付け角度を決めるためには目視によって微調整を行うか、またいろいろな治具を使うなど製作が難しい問題があった。また、静穏な気流中また強風中の両条件の下で安定して飛行させることは難しく、いずれの条件下においても上手に飛行させようとすると、製作にあたっていろいろな調整を行う必要があり、専門的な知識が必要である等の欠点があった。
【０００４】
本考案は製作にあたって道具類を必要とせず、また、さまざまな気流の条件の下でも調整の必要がなく安定した飛行ができる模型飛行機を提供するものである。
【先行技術文献】
【特許文献】
【０００５】
【特許文献１】実用新案登録第3118316号
【非特許文献】
【０００６】
【非特許文献１】小林昭夫著  「紙ヒコーキで知る飛行の原理」講談社  １９８８年
【考案の概要】
【考案が解決しようとする課題】
【０００７】
解決しようとする問題点は、従来の模型飛行機が製作にあたって道具や液状の接着剤類を使うこと、また胴体と翼の取り付け角度を決めることが難しい点、そして飛行にあたっていろいろな調整が必要なことなどである。
【課題を解決するための手段】
【０００８】
本考案は、紙や平板状の軽量素材に模型飛行機を平面に展開した形状を記し、型抜き加工を実施するとともにあらかじめ粘着剤を材料を貼り合わせる部分に貼り付け、さらに組み立てに際して曲げる部分には折り曲げが容易になるように折り曲げ加工を施す。組み立てにあたっては、模型飛行機に使う部分を切り抜き、所定の場所で折り曲げ、粘着剤の表面保護紙を取り去り、中央胴体を折り曲げた中間に挿入し粘着部を貼り合わせる。また、胴体と翼を一定の角度で保持する角度保持具を中央胴体の切り欠き部に挿入することにより、胴体と翼部分の角度を決める。また、翼後縁部付近に飛行姿勢調節具を貼り付け、さまざまな気流中で安定した飛行ができるようにすることを主要な特徴とする。なお、粘着剤はあらかじめ貼り合わせる部分に塗布しないで、薄いシート状の素材の両面に塗布し両面を保護材で覆った両面粘着シートを使ってもよい。
【考案の効果】
【０００９】
本考案の模型飛行機は、中央胴体を右胴体と左胴体で挟み込むように製作するため胴体と翼の角度保持具を中央胴体部に挿入することができ、容易に組み立てができる。また、飛行調整具を取り付けることにより、いろいろな調整も不要でさまざまな気流条件や飛行環境の中で安定した飛行ができるという利点がある。
【図面の簡単な説明】
【００１０】
【図１】図１は紙や平板状の軽量素材に模型飛行機を平面に展開した本考案の実施例を示す。
【図２】図２は図１の模型飛行機を型抜き加工線に沿って切り抜き、折り曲げ加工線に沿って折り曲げ、中央胴体を左右の胴体部の間に挟みこんだ説明図である。
【図３】図３は図２のAA部分を正面から見た説明図である。
【図４】図４は胴体と翼部分の角度を決めるための角度保持具である。
【図５】図５は左右の胴体部と中央胴体の切り欠き部からなる空間部に図４に示す角度保持具を挿入し翼の角度を保持する説明図である。
【図６】図６は模型飛行機の重心位置を調整し、模型飛行機の先端部分を保護するためのゴムなどでできた先端保護具を取り付けた説明図である。
【図７】図７は本考案の模型飛行機の１例である。
【図８】図８は中央胴体と左右胴体の間に挟み込み、両者の角度を保持するための角度保持具の一例である。
【図９】図９は図８の角度保持具を使って胴体部と翼部の角度を保持した説明図である。
【図１０】図１０は図９のBB断面に沿って正面から見た説明図である。
【図１１】図１１は図８と同様の目的の角度保持具の一例である。
【図１２】図１２は図1１の角度保持具を使って胴体部と翼部の角度を保持した説明図である。
【図１３】図１３は図２のCC断面に沿って正面から見た説明図である。
【図１４】図１４は主に翼の後縁部分に取り付け、飛行姿勢を決める飛行姿勢調節具の説明図である。
【図１５】図１５は翼後縁部分に飛行姿勢調整具を取り付けた説明図である。
【図１６】図１６は重心位置を確認するためのピンの説明図である。
【図１７】図１７は模型飛行機の重心位置に図１６に示すピンを差し込み、模型飛行機の傾きを見て重心位置を調べる方法を示した説明図である。
【考案を実施するための形態】
【００１１】
平面形状の模型飛行機主要部を折り曲げて中央胴体を挟み込み、胴体と翼の取り付け角度を角度保持具で設定することで、道具類を必要とせずにまた調整も必要なく安定した飛行を行うことができる模型飛行機を実現した。中央胴体を左右胴体で挟み込む形状としたため、胴体と翼の取り付け角度保持具を中央胴体部の切り欠き部に挿入することができるようになった。翼の後縁部に飛行姿勢調整具を貼りつけることにより、さまざまな気流中で安定した飛行を実現することができた。
【実施例】
【００１２】
以下、添付図面に従って一実施例を説明する。図１は、紙や平板状の軽量素材１に模型飛行機を平面に展開し、右胴体部３、左胴体部４、右翼部５、左翼部６によって模型飛行機の本体部２を構成する。また、中央胴体７を素材１から切り取れるようにする。本体部２および中央胴体７は各々型抜き加工線８に沿って型抜き加工が施されており、さらに折り曲げ加工線９に沿って折り曲げ加工が施されており、素材１から本体部２および中央胴体７を容易に切り抜けるようになっている。本体部は折り曲げ加工線に沿って容易に折り曲げることができる。なお、右胴体３と左胴体４の斜線部分にはあらかじめ粘着剤を塗布し保護シートで覆いを施しておく。なお、この粘着剤はあらかじめ貼り合わせる部分に塗布しないで、薄いシート状の素材の両面に粘着剤を塗布し、両面を保護材で覆った両面粘着シートを使ってもよい。さらに中央胴体７には発射ゴム紐をかける切り欠き部１０や胴体と翼部の角度保持具１２を挿入する切り欠き部１１が設けられている。
【００１３】
図２は、図１の模型飛行機を型抜き加工線８に沿って切り抜き、折り曲げ加工線９に沿って折り曲げ、中央胴体７を左右の胴体部の間に挟みこんだ説明図である。
【００１４】
図３は図２のAA断面に沿って正面からみた図である。
【００１５】
図４は、本考案による胴体と翼部の角度設定を行うための角度保持具１２の１例である。
【００１６】
図５は図４に示す胴体と翼部の角度保持具１２を角度保持具を挿入する切り欠き部１１に挿入した例を示す。
【００１７】
図６は模型飛行機の重心調整錘兼先端保護具１３を胴体先端部分に取り付けた例である。
【００１８】
図７は本考案による模型飛行機の１例である。
【００１９】
図８は胴体と翼部の角度を保持するための角度保持具１４の１例である。
【００２０】
図９は図８に示す形状の角度保持具１４によって胴体と翼部の角度を保持した１例である。
【００２１】
図１０は図９のBB断面に沿って正面からみた図である。
【００２２】
図１１は胴体と翼部の角度を保持するための角度保持具１５の１例である。
【００２３】
図１２は図１１に示す形状の角度保持具１５によって胴体と翼部の角度を保持した１例である。
【００２４】
図１３は図１３のCC断面に沿って正面からみた図である。
【００２５】
図１４は飛行調整具１６の１例である。
【００２６】
図１５は飛行調整具１６を翼後縁部分に取り付けた例である。
【００２７】
図１６は重心位置を確認するための重心位置確認ピン１７とこのピンを保持する重心位置確認ピン保持糸の例である。
【００２８】
図１７は図１７に示す重心位置確認ピン１７の使用形態を示す説明図である。
【産業上の利用可能性】
【００２９】
本考案は模型飛行機のみならず各種の立体構造物を製作する用途にも適用できる。
【符号の説明】
【００３０】
１    紙または平板状の軽量素材
２    模型飛行機の本体部
３    右胴体部
４    左胴体部
５    右翼部
６    左翼部
７    中央胴体
８    型抜き加工線
９    折り曲げ加工線
１０    発射用ゴム紐をかける切り欠き部
１１    角度保持具を挿入する切り欠き部
１２    胴体と翼部の角度保持具
１３    重心調整錘兼先端保護具
１４    胴体と翼部の角度保持具
１５    胴体と翼部の角度保持具
１６    飛行姿勢調整具
１７    重心位置確認ピン
１８    重心位置確認ピン保持糸
【図１】
0003177845.tif 000003
【図２】
0003177845.tif 000004
【図３】
0003177845.tif 000005
【図４】
0003177845.tif 000006
【図５】
0003177845.tif 000007
【図６】
0003177845.tif 000008
【図７】
0003177845.tif 000009
【図８】
0003177845.tif 000010
【図９】
0003177845.tif 000011
【図１０】
0003177845.tif 000012
【図１１】
0003177845.tif 000013
【図１２】
0003177845.tif 000014
【図１３】
0003177845.tif 000015
【図１４】
0003177845.tif 000016
【図１５】
0003177845.tif 000017
【図１６】
0003177845.tif 000018
【図１７】
0003177845.tif 000019
【手続補正書】
【提出日】平成24年4月24日(2012.4.24)
【手続補正１】
【補正対象書類名】実用新案登録請求の範囲
【補正対象項目名】全文
【補正方法】変更
【補正の内容】
【実用新案登録請求の範囲】
【請求項１】
紙や平板状の軽量素材から模型飛行機の翼部分や胴体部分などを構成する平板状の部材を切り出し、所定の位置で折り曲げることによって翼部や胴体を構成し、さらに折り曲げた中央に胴体を構成する別の部材を挟み込んで接着し、立体の模型飛行機としたことを特徴とする模型飛行機。
【請求項２】
胴体と翼を一定の角度で保持する角度保持具を胴体中央部に挿入することにより、胴体と翼部分の角度を決めることを特徴とする請求項１記載の模型飛行機。
【請求項３】
翼後縁部付近に飛行姿勢調節具を貼り付け、さまざまな気流中で安定した飛行ができるようにすることを特徴とする請求項１記載の模型飛行機。
【請求項４】
組み立てた模型飛行機の重心部分に重心位置確認ピンを差し込んで、重心位置を容易に確認できることを特徴とする請求項１記載の模型飛行機。
【手続補正書】
【提出日】平成24年6月20日(2012.6.20)
【手続補正１】
【補正対象書類名】実用新案登録請求の範囲
【補正対象項目名】全文
【補正方法】変更
【補正の内容】
【実用新案登録請求の範囲】
【請求項１】
紙や平板状の軽量素材を用いて胴体部と翼部を一体に構成し、胴体前部に錘を、後部に垂直尾翼を設けたことを特徴とする模型飛行機。
【請求項２】
胴体と翼を一定の角度で保持する角度保持具を胴体中央部に挿入することにより、胴体と翼部分の角度を決めることを特徴とする請求項１記載の模型飛行機。
【請求項３】
翼後縁部付近に飛行姿勢調節具を貼り付け、さまざまな気流中で安定した飛行ができるようにすることを特徴とする請求項１記載の模型飛行機。
【請求項４】
組み立てた模型飛行機の重心部分に重心位置確認ピンを差し込んで、重心位置を容易に確認できることを特徴とする請求項１記載の模型飛行機。